(57)【要約】【課題】洗濯機の排水ホースの接続部分を床面下に配設して当該接続部分となる床面スペースを有効に利用することができるとともに、容器本体内に排水ホースを安定的に配置した状態で接続することで当該排水ホースの振動による騒音の発生などを防止することができる洗濯機用排水構造を提供する。【解決手段】床面Ｂに上面１１が開口された箱状の容器本体１がその上面１１開口が床面Ｂと面一になるようにして埋設配置されるとともに、容器本体１の上面開口には蓋体２が開閉自在に配設され、一方、容器本体１の底面には排水管Ｃが接続される排水口１３が形成されるとともに、容器本体１内には排水口１３を通じて排水管Ｃに挿入配置された排水トラップ３が設けられ、排水トラップ３の上端部には容器本体１内に挿入された洗濯機Ａの排水ホースＡ１が接続されている。容器本体１の床面には、排水ホースＡ１を安定的に保持する保持部材５が設けられている。【選択図】  図２
2007205135.tif 000002
【特許請求の範囲】
【請求項１】
床面に上面が開口された箱状の容器本体がその上面開口が当該床面と面一になるようにして埋設配置されるとともに、この容器本体の上面開口には蓋体が開閉自在に配設され、一方、上記容器本体の底面には排水管が接続される排水口が形成されるとともに、容器本体内には上記排水口を通じて排水管に挿入配置された排水トラップが設けられ、この排水トラップの上端部には前記容器本体内に挿入された洗濯機の排水ホースが接続されてなることを特徴とする洗濯機用排水構造。
【請求項２】
前記容器本体の床面には、排水ホースを安定的に保持する保持部材が設けられたことを特徴とする請求項１記載の洗濯機用排水構造。
【発明の詳細な説明】
【技術分野】
【０００１】
本発明は、洗濯機の排水ホースを接続する排水部の排水構造に関するものである。
【背景技術】
【０００２】
従来、洗濯機用の排水構造としては、床面に防水パンを配設するとともに、この防水パンに排水トラップを介して排水管を連結してなり、床面から突出した状態で配置した排水トラップの連結部に洗濯機の排水ホースを接続するようにしたものが提供されている（例えば、特許文献１参照。）。
【特許文献１】実用新案登録第３１１２３２９号公報
【発明の開示】
【発明が解決しようとする課題】
【０００３】
しかしながら、上記従来の排水構造では、排水ホースの接続部が床面から突出して配置されているため、この床面から突出した連結部分が邪魔になり、この結果、他の物を置くことができずにデットスペースとなって使い勝手が悪いという問題があった。
【０００４】
本発明は、上記問題点に鑑みてなされたもので、その目的とするところは、洗濯機の排水ホースの接続部分を床面下に配設して当該接続部分となる床面スペースを有効に利用することができるとともに、容器本体内に排水ホースを安定的に配置した状態で接続することで当該排水ホースの振動による騒音の発生などを防止することができる洗濯機用排水構造を提供することにある。
【課題を解決するための手段】
【０００５】
上記の目的を達成するため、請求項１に係る発明の洗濯機用排水構造は、床面に上面が開口された箱状の容器本体がその上面開口が当該床面と面一になるようにして埋設配置されるとともに、この容器本体の上面開口には蓋体が開閉自在に配設され、一方、上記容器本体の底面には排水管が接続される排水口が形成されるとともに、容器本体内には上記排水口を通じて排水管に挿入配置された排水トラップが設けられ、この排水トラップの上端部には前記容器本体内に挿入された洗濯機の排水ホースが接続されてなるものである。
【０００６】
請求項２に係る発明の洗濯機用排水構造は、前記容器本体の床面に排水ホースを安定的に保持する保持部材が設けられたものである。
【発明の効果】
【０００７】
本発明によれば、排水トラップ全体を内部に収容した状態で容器本体を床面と面一な状態で配置することができ、これにより容器本体を設けた床面スペースを有効に利用することができる。
【０００８】
また、容器本体内に配置した排水ホースの途中部を保持部材によって安定的に保持していることで、脱水時等の排水ホースの振動による騒音の発生を防止できるとともに、振動に起因する排水ホースの抜け落ちを防止することができる。
【発明を実施するための最良の形態】
【０００９】
以下、本発明の実施の形態について図面を参照して説明する。
【００１０】
図１は、本発明の洗濯機の排水構造を採用して設置された洗濯機及びその周辺を示している。
【００１１】
図１において、Ａは洗濯機であって、洗濯機Ａの排水ホースＡ１を通じて排水する排水装置として本発明の排水構造を採用したものを床面Ｂに設置しており、以下この排水装置について図２を参照して詳説する。
【００１２】
この排水装置は、床面Ｂに埋設された容器本体１と、容器本体１に開閉自在に設けられた蓋体２と、容器本体１内に収容された排水トラップ３とを備えている。
【００１３】
容器本体１は、上面１１が開口された箱状に形成されたもので、洗濯機Ａの設置箇所に近接して配設されている。具体的には、容器本体１の上面周縁にフランジ１２が形成されており、このフランジ１２を床面Ｂに形成した開口周縁に支持させることで、その上面１１開口が床面Ｂと面一になるように当該容器本体１が配設されている。
【００１４】
また、容器本体１の底面には排水口１３が形成されており、この排水口１３に洗濯機Ａの配置に応じて予め配設された排水管Ｃが連結されている。
【００１５】
前記蓋体２は、上面１１開口を開閉するためのもので、上面１１開口を閉塞した状態では床面Ｂと面一となるように配設されている。
【００１６】
そして、蓋体２の一端部には、排水ホースＡ１を容器本体１内に導くための導入口（切欠）２１が形成されている。
【００１７】
前記排水トラップ３は、従来周知なものであり、そのトラップ本体３１が排水口１３を通じて排水管Ｃの管端内に配置されている。
【００１８】
具体的には、排水トラップ３は、トラップ本体３１が前記排水管Ｃの管端内に挿入配置されており、このトラップ本体３１の底部に溜まる所定量の排水によって容器本体１と排水管Ｃの連通路を水密構造にすることで、排水管Ｃ内の臭気が容器本体１側に漏れ出すのを防止している。
【００１９】
そして、このトラップ本体３１の上端部には連結管（連結部）３２が連設されており、この連結管３２に前記排水ホースＡ１の先端が固定手段４によって連結された状態で固定されている。
【００２０】
固定手段４は、図３（ａ）に示すように縮径リング４１と締付リング４２とからなり、図３（ｂ）に示すように連結管３２の管端外周に縮径リング４１を嵌め込むとともに、当該連結管３２の管端内に排水ホースＡ１の先端を差し込み、この状態で図３（ｃ）に示すように縮径リング４１に締付リング４２を締め付けてこの縮径リング４１を切欠４１ａの作用で縮径させることによって、排水ホースＡ１を連結管３２に連結した状態で強固に固定する。この際、排水ホースＡ１は、前記導入口２１を通じて容器本体１内にスムーズに導入される。
【００２１】
さらに、容器本体１の底面には保持部材５（図２参照）が設けられている。保持部材５は、容器本体１内に配置される排水ホースＡ１の途中部を安定的に保持するためのもので、排水ホースＡ１を嵌入保持する略半円状の保持部５１を有している。この保持部材５は、本実施の形態では所定間隔を隔てて２個配置されている。
【００２２】
以上説明したように、排水トラップ３全体を内部に収容した状態で容器本体１を床面と面一な状態で配置することができ、これにより容器本体１を設けた床面スペースを有効に利用することができる。
【００２３】
また、仮に何らかの原因で排水ホースＡ１が連結管３２から抜け落ちたとしても、排水ホースＡ１からの排水を容器本体１内から排水口１３を通じて排水管Ｃに排水することができ、排水が床面に漏れ出ることを確実に防止することができる。
【００２４】
さらに、容器本体１内に配置した排水ホースＡ１の途中部を保持部材５によって安定的に保持していることで、脱水時等の排水ホースＡ１の振動による騒音の発生を防止できるとともに、振動に起因する連結管３２からの排水ホースＡ１の抜け落ちを防止することができる。
【００２５】
また、容器本体１を透明樹脂で作製することで、排水トラップ３などの点検を床下からではなく蓋体２を取り外すだけで速やかに且つ容易に行うことができる。
【００２６】
さらに、容器本体１の適所に給水栓を配設することで、この給水栓を通じて洗濯機Ａに給水するようにしてもよい。
【００２７】
なお、上述した実施形態は、あくまでも本発明の好適な実施態様を示すものであって、本発明はこれに限定されることなく、その範囲内において種々設計変更可能である。
【００２８】
例えば、保持部材５の形状や、数は本実施の形態に限定されず、排水ホースＡ１を保持できる適宜な形状で、必要に応じて適数個設ければよい。
【００２９】
また、固定手段４は、縮径リング４１を締付リング４２で締め付けるものだけに限るものではなく、例えばシール性の信頼性をさらに高めるためにリング間４１、４２にパッキンを介装するものであってもよい。
【図面の簡単な説明】
【００３０】
【図１】本発明の洗濯機の排水構造を採用して設置された洗濯機及びその周辺を示す斜視図である。
【図２】排水構造の詳細を示す一部破断の斜視図である。
【図３】排水トラップに排水ホースを連結して固定するための固定手段を示す斜視図である。
【符号の説明】
【００３１】
１  容器本体
１１  上面
１３  排水口
２  蓋体
３  排水トラップ
４  固定手段
５  保持部材
Ａ  洗濯機
Ａ１  排水ホース
Ｂ  床面
Ｃ  排水管
【図１】
2007205135.tif 000003
【図２】
2007205135.tif 000004
【図３】
2007205135.tif 000005